(57)【要約】【課題】水面上で装飾物を搭載した浮遊台を任意の方向、速さで動的に動き回らせることにより、水の流れなどと合わせて水面上で人目を強く惹く演出効果を実現可能にする。【解決手段】上面に装飾物が設置された浮遊台１１を自由移動可能に水面上に浮かべ、その浮遊台１１に音声や光を出力する音声出力手段１２または光出力手段１３を設け、浮遊台１１に前記音声や光の出力変化に応じて浮遊台１１を水面上で所定量、所定方向に移動可能にする浮遊台駆動手段１４を設けて、浮遊台１１に音声や光の出力変化に応じた動きを演出させる。【選択図】図１
2015159013.tif 000002
【特許請求の範囲】
【請求項１】
少なくとも上面に装飾物が設置されて、自由移動可能に水面上に浮かべられた浮遊台と、
該浮遊台に設けられて、音声や光を出力する音声出力手段または光出力手段と、
前記浮遊台に設置されて、前記音声や光の出力変化に応じて前記浮遊台を水面上で所定方向および所定量移動可能にする浮遊台駆動手段と、
を備えて、前記浮遊台に音声や光の出力変化に応じた動きを演出させることを特徴とする浮遊台の演出を楽しむ浮遊台の演出装置。
【請求項２】
前記装飾物が前記音声や光の出力変化に応じて動きを変化するものであることを特徴とする請求項１に記載の浮遊台の演出装置。
【請求項３】
装飾物が設置された浮遊台を、当該浮遊台に設置された音声出力手段または光出力手段が出力する音声や光の変化に応じて水面上で動き回らせるように演出する浮遊台の演出方法。
【発明の詳細な説明】
【技術分野】
【０００１】
本発明は、装飾物が搭載された浮遊台を水面上に浮かべて、音や光の変化に応じて動き回るように演出させる浮遊台演出装置および浮遊台演出方法に関する。
【背景技術】
【０００２】
従来から各種のイベント会場、ホテル、文化施設、公共施設、公園や池、プール、湖などの水面上に各種の造形物を設置することで人の関心を惹くようにすることで、単に興味をそそることのみを期待するだけでなく、芸術的演出効果や美的演出効果を高めることを期待する演出方法が広く知られている。例えば、極寒の地の公園などに設置した種々の造形物の表面に夜間水を掛けてこの水を凍らせ、氷で被われた造形物に美的演出効果を付与することが行われている。
【０００３】
また、前記施設に噴水、水路、小川、滝、水車などを付設して、水のせせらぎ音や落下音を演出したり、電灯光や太陽光を噴水柱などに投射して噴水の美観を高めたり（例えば、特許文献１参照）、光ビームを噴水に照射して人目を惹く効果を高めたり（例えば、特許文献２参照）するなどの、水に付随した各種の演出方法も広く実施されている。さらに、噴水や滝などにおける水玉（泡）含有水流に所定発光周期でストロボ光を照射して、美的な演出効果を得るようにした方法（例えば、特許文献３参照）も知られている。
【先行技術文献】
【特許文献】
【０００４】
【特許文献１】特開昭５４‐１５９０７５号公報
【特許文献２】特開昭５９‐１４３２０１号公報
【特許文献３】特開平４‐３１９９８３号公報
【発明の概要】
【発明が解決しようとする課題】
【０００５】
しかしながら、かかる従来の演出方法や演出装置は、静止する造形物等に光の照射を行うなどの静的演出方法が中心であり、歩行者が足を止めて鑑賞、看取するほどには十分に興味、感動を覚える演出とはならず、それ以上に静止する造形物等の演出効果を高めるには自ずから限界があった。
【０００６】
本発明は前述のような従来の問題点を解消するものであり、その目的とするところは、水面上で装飾物を搭載した浮遊台を任意の方向、速さで動的に動き回らせることにより、水の流れなどと合わせて水面上で人目を強く惹く、感動的で興味深い演出効果を得ることができる浮遊台演出装置および浮遊台演出方法を得ることにある。
【課題を解決するための手段】
【０００７】
前記目的達成のために、本発明にかかる浮遊台演出装置は、少なくとも上面に装飾物が設置されて、自由移動可能に水面上に浮かべられた浮遊台と、該浮遊台に設けられて、音声や光を出力する音声出力手段または光出力手段と、前記浮遊台に設置されて、前記音声や光の出力変化に応じて前記浮遊台を水面上で所定方向および所定量移動可能にする浮遊台駆動手段と、を備えて、前記浮遊台に音声や光の出力変化に応じた動きを演出させることを特徴とする。
【０００８】
この構成により、音声出力手段が出力する声や音楽を含む音声出力や光出力手段が出力する点灯や点滅などによる光出力の変化に応じて、水面上に浮かべられた舟形等の浮遊台を、この浮遊台に設けられた浮遊台駆動手段によって水面上に動き回らせることが可能となる。この浮遊台上には花や動物などの装飾物が搭載されており、これらが浮遊台の動きとともに演出効果を高め、これを看取する人の心を和ませる効果が得られる。
【０００９】
この場合において、前記装飾物を前記音声や光の出力変化に応じて動きを変化させるものとしたことで、前記音声出力や光出力の変化に応じて浮遊台上の装飾物に与えられる動的な変化がさらに浮遊台の演出効果を高めることが可能になる。また、このような動的な演出は簡単な構成にて安価に実施可能である。
【発明の効果】
【００１０】
本発明によれば水面上で装飾物を搭載した浮遊台を任意の方向、速さで動的に動き回らせることにより、水面上の浮遊台が人目を強く惹く演出を実現でき、これを簡単かつ安価な構成にて実現できるという効果が得られる。
【００１１】
以上、本発明について簡潔に説明した。更に、以下に本発明を実施するための最良の形態を添付の図面を参照して、詳細に説明する。
【図面の簡単な説明】
【００１２】
【図１】本発明に係る浮遊台演出装置の一実施形態を概念的に示す正面図である。
【図２】図１に示した浮遊台に設置される浮遊台駆動手段の配置例を示す説明図である。
【図３】図１における浮遊台に設置される音声出力手段、光出力手段および浮遊台駆動手段を含む電気系統の回路図である。
【図４】本発明に係る浮遊台演出装置の他の実施形態を概念的に示す正面図である。
【発明を実施するための形態】
【００１３】
以下、本発明の実施の形態による浮遊台演出装置を図面を参照して説明する。
【００１４】
図１は本実施の形態による浮遊台演出装置の全体を示し、これが浮遊台１１と、音声出力手段１２と、光出力手段１３と、浮遊台駆動手段１４と、を備えて構成される。これらのうち浮遊台１１は、川、湖、沼、池、プールなどの水面上に浮かべられても沈むことがない素材、例えば、一部に発泡樹脂や中空フロートなどが用いられたプラスチック材や木材の箱状体からなる。この箱状体の形態は直方形や円筒形等であり、後述の電気系統の絶縁保護のために、必要に応じて気密性の密閉部が一部に設けられる（図示しない）。
【００１５】
このため、音声出力手段１２、光出力手段１３、浮遊台駆動手段１４を含む各電気系統、配線、電源（例えば、バッテリ）などは水面より上方位置に設置されて湿気から隔離され、絶縁保護されている。また、浮遊台駆動手段１４の一部を構成するスクリュー装置２３、２４は、後述のように浮遊台１１の底部１１aから水面下に突出させたスクリューを回転させることによって、浮遊台１１に推進力および水平回転力をそれぞれ付与するものであるところから、密閉空間外に設けられる。
【００１６】
音声出力手段１２は、外部指令にもとづいて音声出力部１５から音声信号や音楽信号を自動再生し、浮遊台１１上に設置されたスピーカ１６から所定レベルの音声、音楽を放音させるものを含む。このスピーカ１６の設置数やサイズ、さらには浮遊台１１における設置位置などは、浮遊台１１上面の広さなどに応じて任意に決定される。また、音声や音楽の音源の種類は浮遊台１１の水面上における動きを決定するものであり、ポップ、ジャズ、クラシックなどの各種ジャンルの音声や音楽の中から所定の曲目等が自動選択されて、所定のリズムにてスピーカ１６から放音される。なお、前記音声や音楽はＳＤカードメモリ、ＵＳＢメモリ、ＣＤ、ＤＶＤ、磁気テープ等のいずれかに予め記録されたものを、それぞれ専用の再生手段を用いて再生出力される。
【００１７】
光出力手段１３は、外部指令にもとづいて光出力部１７からの出力電流により、レーザ発生器１８、照明ランプ１９、ＬＥＤ（発光ダイオード）２０などを点灯または点滅させるものを含む。尤もレーザ発生器１８、照明ランプ１９、ＬＥＤ２０はそれぞれ駆動電力の種類（レベルや交流、直流の種類の別）などに応じた回路形式の専用の光出力回路が用いられる。光出力手段１３は光の点灯や点滅を所定のパターンで繰り返させるものとすることで、その光の点灯や点滅により浮遊台１１の動きの演出効果をさらに高めることができる。
【００１８】
ここでレーザ発生器１８および照明ランプ１９は、浮遊台１１の上面から上方や斜め上方に向けて照射するように設けているが、その浮遊台１１における設置位置や光の照射方向は演出目的に応じて任意に決定可能である。また、ＬＥＤ２０は浮遊台１１の上面に設立されたツリー（樹木模型）２１の枝に多数個が掛けられるようにすることが望ましく、これによりツリー全体を鮮やかな点灯光や点滅光で装飾することができる。また、浮遊台１１にはスタンド形状の照明ランプ２２が設立されており、これが光出力部１７からの光信号を受けて前述の照明ランプ１９と同時に点灯および点滅が可能になっている。図中、３５は浮遊台１１とは別に建物側に設けられた照明装置であり、照射方向、照射色を自由に制御することができるように構成されている。
【００１９】
浮遊台駆動手段１４は、図２に示すように推進装置２３と、回転装置２４と、舵取り装置２５とを備えてなり、推進装置２３および回転装置２４はスクリュー装置のスクリュー２３ａ、２４ａの回転または図示しないウオータジェット装置による水の噴出により、浮遊台１１を水面上で所定の速度でそれぞれ推進および回転させるように機能する。また、舵取り装置２５は水面における浮遊台１１の推進方向をコントロールするように機能し、推進装置２３および回転装置２４とともに駆動制御手段１４によってそれぞれ予め決められたプログラムに従って駆動制御される。
【００２０】
図３は音声出力手段１２、光出力手段１３および浮遊台駆動手段１４の駆動制御回路を示す。これらのうち音声出力手段１２は音声出力部１５によってスピーカ１６を、光出力手段１３は光出力部１７によってレーザ発生器１８およびランプ１９、２２を、浮遊台駆動手段１４は駆動出力部１４ａによって推進装置２３、  回転装置２４および舵取り装置２５を、それぞれ駆動制御するものとする。そして音声出力部１５、光出力部１７および駆動出力部１４ａはそれぞれスイッチ（電源スイッチ）２６を介して電源（バッテリ）２７に直列接続されている。
【００２１】
本実施形態による浮遊台の前記演出装置は以上のように構成されており、これが川や池などに一つあるいは複数浮かべると、付近を散策しながら看取する人たちの目を惹くと同時に興味を喚起させて、装飾された浮遊台１１の音の変化に応じた動きに見入らせるという心地よい演出効果を発揮する。すなわち、浮遊台１１は水面に浮かべられると、その浮遊台１１の下半部が水面下に浸漬されるとともに、その浮遊台１１上面に設置されたスピーカ１６、レーザ発生器１８、ランプ１９、ＬＥＤ２０、ツリー２１、ランプ２２などが大気中に晒される状態となる。
【００２２】
そこで、手動操作によりまたはリモートコントロール操作によりスイッチ２６を閉じる（オンする）と、電源２７から音声出力部１５、光出力部１７および駆動出力部１４ａのそれぞれに電流（電力）供給されて、前記プログラムに従ってスピーカ１２から音声、音楽が出力され、レーザ発生器１８やランプ１９、２２などの光出力手段１３から設定レベルのレーザ光や点灯光が所定レベルの所定のタイミングで出力され、さらに浮遊台駆動手段１４の推進装置２３、回転装置２４および舵取り装置２５が駆動される。この浮遊台駆動手段１４の推進装置２３、回転装置２４および舵取り装置２５はそれぞれ予め設定されたプログラムに従って所定の方向および推進力で浮遊台１１を水面上に動き回らせる。
【００２３】
すなわち、この浮遊台１１は音声出力手段１２が出力する声や音楽を含む音声出力、光出力手段１３が出力する点灯や点滅などによる光出力の変化に応じて、水面上に浮かべられた舟形等の浮遊台１１を、この浮遊台１１に設けられた浮遊台駆動手段１４によって水面上に動き回らせることが可能となる。この浮遊台１１上には樹木、花や動物などの装飾物（模型）が搭載されており、これらが浮遊台１１の動きとともに演出効果を高め、これを看取する観覧者の心を和ませることとなる。
【００２４】
図４は本願発明の他の実施形態を示す。この実施形態では、浮遊台１１の上面に鳥３１や犬３２などの小動物の模型が設置されてなり、これらの鳥３１や犬３２は独自の駆動制御部３３、３４によって浮遊台１１上面で跳び上がったり、歩行したり、走ったりするように構成される。これにより、例えば前記音声出力や光出力の変化に応じて鳥３１や犬３２の模型に与えられる動的変化によって、浮遊台１１の演出効果をさらに高めることができる。
【００２５】
以上のように、本実施形態の浮遊台の演出装置は、上面に装飾物が設置された浮遊台１１を自由移動可能に水面上に浮かべ、その浮遊台１１に音声や光を出力する音声出力手段１２または光出力手段１３を設け、浮遊台１１に前記音声や光の出力変化に応じて前記浮遊台１１を水面上で所定慮、所定方向に移動可能にする浮遊台駆動手段１４を設けて、浮遊台１１に音声や光の出力変化に応じた動きを演出させるような構成とした。
【００２６】
この構成により、音声出力手段１２が出力する声や音楽を含む音声出力または光出力手段1３が出力する点灯や点滅などによる光出力の変化に応じて、水面上に浮かべられた舟形等の浮遊台１１を、この浮遊台１１に設けられた浮遊台駆動手段１４によって水面上に動き回らせることが可能となる。この浮遊台１１上には花や動物などの装飾物が搭載されており、これらが浮遊台１１の動きとともに演出効果を高め、これを看取する人に強い印象を与えて心を和ませることができる。
【００２７】
そして、前記鳥３１や犬３２などの装飾物も、音声や光の変化に応じて動きを変化させるものとすることで、その音声出力および光出力の変化に応じて浮遊台１１上の装飾物に与えられる動的な変化の演出効果をさらに高めることとなる。
【産業上の利用可能性】
【００２８】
本発明は水面上で装飾物を搭載した浮遊台を任意の方向、速さで動的に動き回らせることにより、水面上の浮遊台が人目を強く惹く演出を実現できるという効果を有し、装飾物が搭載された浮遊台を水面上に浮かべて、音や光の変化に応じて動き回るように演出させる浮遊台演出装置および浮遊台演出方法等に有用である。
【符号の説明】
【００２９】
１１  浮遊台  
１２  音声出力手段
１３  光出力手段
１４  浮遊台駆動手段
１５  音声出力部
１６  スピーカ
１７  光出力部
１８  レーザ発生器
１９  照明ランプ
２０  ＬＥＤ
２１  ツリー
２２  照明ランプ
２３  推進装置
２４  回転装置
２５  舵取り装置
２６  スイッチ
２７  電源
３１  鳥（装飾物）
３２  犬（装飾物）
３３、３４  駆動制御部
【図１】
2015159013.tif 000003
【図２】
2015159013.tif 000004
【図３】
2015159013.tif 000005
【図４】
2015159013.tif 000006